(57)【特許請求の範囲】
【請求項１】
キーボードを備えた本体部と、この本体部の蓋と、この蓋にロゴマークを表示するようにしたコンピュータ装置であって、
前記蓋が閉状態の時に表示する第１の表示と、前記蓋が開状態の時に表示する第２の表示とからなる前記蓋に設けた表示手段と、
前記蓋の開閉を検出する蓋の開閉の検出手段と、
前記検出手段が検出した蓋の開状態又は閉状態を一時的に保持する蓋の開閉状態保持手段と、
前記開閉状態保持手段の保持状態に基づき、選択的に前記第１の表示又は第２の表示を行う表示駆動手段とを少なくとも含み、
前記検出手段は、前記蓋に設けられたスライドスイッチと、一方の側に付勢され、前記蓋が閉状態の時、前記本体部に設けた係止孔に係止せしめるようにした前記スライドスイッチのロック爪と、前記ロック爪と共にスライドし、前記表示駆動手段を駆動する押圧部材と、前記スライドスイッチのロック爪を係止するための前記本体部に設けた係止用の孔とで構成したことを特徴とするコンピュータ装置。
【請求項２】
キーボードを備えた本体部と、この本体部の蓋と、この蓋にロゴマークを表示するようにしたコンピュータ装置であって、
前記蓋が閉状態の時に表示する第１の表示と、前記蓋が開状態の時に表示する第２の表示とからなる前記蓋に設けた表示手段と、
前記蓋の開閉を検出する蓋の開閉の検出手段と、
前記蓋の開閉の検出部の検出した検出結果に基づき、前記表示部を駆動するトグル機構部とを少なくとも含み、
前記検出手段は、前記蓋に設けられたスライドスイッチと、一方の側に付勢され、前記蓋が閉状態の時、前記本体部に設けた係止孔に係止せしめるようにした前記スライドスイッチのロック爪と、前記ロック爪と共にスライドし、前記トグル機構部を駆動する押圧部材と、前記スライドスイッチのロック爪を係止するための前記本体部に設けた係止用の孔とで構成したことを特徴とするコンピュータ装置。
【請求項３】
前記第１の表示及び第２の表示は、それぞれ前記蓋に対して異なる方向に表示するように構成したことを特徴とする請求項１又は２に記載のコンピュータ装置。
【請求項４】
前記第１の表示と第２の表示とは、一体に形成されていることを特徴とする請求項１又は２に記載のコンピュータ装置。
【請求項５】
前記第１の表示と第２の表示とは、前記蓋の内面に沿って移動することで、蓋の開閉に応じて異なる表示を行うことを特徴とする請求項１又は２に記載のコンピュータ装置。
【発明の詳細な説明】
【０００１】
【発明の属する技術分野】
本発明は、コンピュータ装置に係わり、特に、ロゴマークの表示装置を備えたコンピュータ装置に関する。
【０００２】
【従来の技術】
従来のコンピュータ装置では、図１２（ａ）のように、ノートパソコンのＬＣＤパネル３を閉じた状態で利用者にロゴ表示が読める向きになっていた場合、図１２（ｂ）のように、ＬＣＤパネル３を開いた状態では、本体背面からＬＣＤパネル３を見ると、周囲の人にはロゴ表示の文字が逆さまに見えることになる。又逆に、ＬＣＤパネル３を開いた状態でロゴ表示の文字が読める向きにしておくと、ＬＣＤパネル３を閉じたときに、利用者に対しては、文字が逆さまになってしまう。
ロゴ表示は、ブランドやメーカ名を表示しているものなので、ＬＣＤパネルを閉じた状態でも、ＬＣＤパネルを開いた状態でも、見る人から文字が読める向きであることが望ましい。
【発明が解決しようとする課題】
本発明の目的は、上記した従来技術の欠点を改良し、特に、ＬＣＤパネルを開いた時でも、閉じた時でも、ロゴマークを常に正しい向きに表示するようにした新規なコンピュータ装置を提供するものである。
【０００３】
【課題を解決するための手段】
本発明は上記した目的を達成するため、基本的には、以下に記載されたような技術構成を採用するものである。
【０００４】
即ち、本発明に係わるコンピュータ装置の第１態様は、
キーボードを備えた本体部と、この本体部の蓋と、この蓋にロゴマークを表示するようにしたコンピュータ装置であって、
前記蓋が閉状態の時に表示する第１の表示と、前記蓋が開状態の時に表示する第２の表示とからなる前記蓋に設けた表示手段と、
前記蓋の開閉を検出する蓋の開閉の検出手段と、
前記検出手段が検出した蓋の開状態又は閉状態を一時的に保持する蓋の開閉状態保持手段と、
前記開閉状態保持手段の保持状態に基づき、選択的に前記第１の表示又は第２の表示を行う表示駆動手段とを少なくとも含み、
前記検出手段は、前記蓋に設けられたスライドスイッチと、一方の側に付勢され、前記蓋が閉状態の時、前記本体部に設けた係止孔に係止せしめるようにした前記スライドスイッチのロック爪と、前記ロック爪と共にスライドし、前記表示駆動手段を駆動する押圧部材と、前記スライドスイッチのロック爪を係止するための前記本体部に設けた係止用の孔とで構成したことを特徴とするものであり、
叉、第２態様は、
キーボードを備えた本体部と、この本体部の蓋と、この蓋にロゴマークを表示するようにしたコンピュータ装置であって、
前記蓋が閉状態の時に表示する第１の表示と、前記蓋が開状態の時に表示する第２の表示とからなる前記蓋に設けた表示手段と、
前記蓋の開閉を検出する蓋の開閉の検出手段と、
前記蓋の開閉の検出部の検出した検出結果に基づき、前記表示部を駆動するトグル機構部とを少なくとも含み、
前記検出手段は、前記蓋に設けられたスライドスイッチと、一方の側に付勢され、前記蓋が閉状態の時、前記本体部に設けた係止孔に係止せしめるようにした前記スライドスイッチのロック爪と、前記ロック爪と共にスライドし、前記トグル機構部を駆動する押圧部材と、前記スライドスイッチのロック爪を係止するための前記本体部に設けた係止用の孔とで構成したことを特徴とするものであり、
叉、第３態様は、
前記第１の表示及び第２の表示は、それぞれ前記蓋に対して異なる方向に表示するように構成したことを特徴とするものであり、
叉、第４態様は、
前記第１の表示と第２の表示とは、一体に形成されていることを特徴とするものであり、
叉、第５態様は、
前記第１の表示と第２の表示とは、前記蓋の内面に沿って移動することで、蓋の開閉に応じて異なる表示を行うことを特徴とするものである。
【０００５】
【発明の実施の形態】
本発明に係わるコンピュータ装置は、
キーボードを備えた本体部と、この本体部の蓋と、この蓋にロゴマークを表示するようにしたコンピュータ装置であって、
前記蓋に、前記蓋が閉状態の時に表示する第１の表示と、前記蓋が開状態の時に表示する第２の表示とを設け、前記蓋の開閉に応じて選択的に前記第１の表示又は第２の表示を表示するように構成したことを特徴とするものである。
【０００６】
本発明は、上記したように構成したので、図１に示すように、ノートパソコンのＬＣＤパネルに設けたロゴ表示の向きを、ＬＣＤパネルの開閉状態に合わせて、利用者が読める向きに自動的に変えることが出来る。
【０００７】
【実施例】
以下に、本発明に係わるコンピュータ装置の具体例を図面を参照しながら詳細に説明する。
（第１の具体例）
図２乃至図１０は、本発明に係わるコンピュータ装置の具体例を示す図であって、これらの図には、
キーボードを備えた本体部２と、ＬＣＤ表示装置を備えた本体部２の蓋３と、この蓋３にロゴマークを表示するようにしたコンピュータ装置であって、
前記蓋３に、前記蓋３が閉状態の時に表示する第１の表示１２と、前記蓋３が開状態の時に表示する第２の表示１１とを設け、前記蓋３の開閉に応じて選択的に前記第１の表示１２又は第２の表示１１を表示するように構成したことを特徴とするコンピュータ装置が示され、
又、蓋３の開閉を検出する検出手段２０を設け、この検出手段２０の検出結果に基づき、前記第１の表示１２又は第２の表示１１を表示することを特徴とするコンピュータ装置が示され、
又、キーボードを備えた本体部２と、この本体部２の蓋３と、この蓋３にロゴマークを表示するようにしたコンピュータ装置であって、
前記蓋３が閉状態の時に表示する第１の表示１２と、前記蓋が開状態の時に表示する第２の表示１１とからなる前記蓋３に設けた表示手段１３と、
前記蓋３の開閉を検出する蓋の開閉の検出手段２０と、
前記検出手段２０が検出した蓋３の開状態又は閉状態を一時的に保持する蓋の開閉状態保持手段３１と、
前記開閉状態保持手段３１の保持状態に基づき、選択的に前記第１の表示１２又は第２の表示１１を行う表示駆動手段３２と、
を少なくとも含むことを特徴とするコンピュータ装置が示され、
又、キーボードを備えた本体部２と、この本体部２の蓋３と、この蓋３にロゴマークを表示するようにしたコンピュータ装置であって、
前記蓋３が閉状態の時に表示する第１の表示１２と、前記蓋３が開状態の時に表示する第２の表示１１とからなる前記蓋３に設けた表示手段１３と、
前記蓋３の開閉を検出する蓋３の開閉の検出手段２０と、
前記蓋３の開閉の検出手段２０の検出した検出結果に基づき、前記表示手段１３を駆動するトグル機構部３０と、
を少なくとも含むことを特徴とするコンピュータ装置が示され、
又、前記第１の表示１２及び第２の表示１１は、それぞれ前記蓋３に対して異なる方向に表示するように構成したことを特徴とするコンピュータ装置が示され、
又、前記第１の表示１２と第２の表示１１とは、一体に形成されていることを特徴とするコンピュータ装置が示され、
又、前記第１の表示１２と第２の表示１１とは、前記蓋３の内面に沿って移動することで、蓋３の開閉に応じて異なる表示を行うことを特徴とするコンピュータ装置が示され、
又、前記検出手段２０は、前記蓋３に設けられたスライドスイッチ２１と、一方の側に付勢され、前記蓋３が閉状態の時、前記本体部２に設けた係止孔２２に係止せしめるようにした前記スライドスイッチ２１のロック爪２３と、前記ロック爪２３と共にスライドし、前記表示駆動手段３２又はトグル機構部３０を駆動する押圧部材２４と、前記スライドスイッチ２１のロック爪２３を係止するため、前記本体部２に設けた係止用の孔２２とで構成したことを特徴とするコンピュータ装置が示されている。
【０００８】
なお、７は、本体部２と蓋３とを連結しているヒンジ部である。
【０００９】
以下に、本発明を更に詳細に説明する。
【００１０】
図２、図３は、蓋の開閉動作に連動したロゴマークの表示状態を示した図である。
【００１１】
まず、図２（ａ）は、蓋であるＬＣＤパネル３を閉じている状態で、ＬＣＤパネル３を開けた状態で、パソコンを使える位置に人（以下、利用者という）がいる場合に、その利用者からロゴが読める向きになっている。そして、スライドスイッチからなるＬＣＤロックスイッチ２１を操作する（図２（ｂ））と、図２（ｃ）のようにロゴが逆向きになる。この状態で、ＬＣＤパネル３を開く（図２（ｄ））と、図２（ｅ）のように、パソコンの蓋３を背面から見た場合に、ロゴが読める向きとなっている。
また、ＬＣＤパネル３を開いた状態（図３（ａ））から、ＬＣＤパネル３を閉じている途中では（図３（ｂ）〜図（ｃ））、利用者にはロゴが逆さまになっている。ＬＣＤパネル３を閉じてロックがかかると、自動的にＬＣＤロックスイッチ２１が動いて、利用者からロゴが読める向きに変わる（図３（ｄ））。
【００１２】
次に、本発明の全体の構成について説明する。
ＬＣＤロック爪２３は、ＬＣＤパネル３と本体部２とを固定するためのものであり、図８（ｂ）のように、ＬＣＤロックスイッチ２１を左方向にスライドさせることによりＬＣＤパネル３の固定を解除することが出来る。これにより、ロゴが書かれているロゴプレート１０が動き、表示が切り替わる。図８（ａ）のように、ＬＣＤパネル３が閉じた状態では、ＬＣＤロック爪２３が本体部２の孔２２に引っかかりロックされている。図８（ｂ）のように、ＬＣＤロックスイッチ２１を矢印方向にスライドさせると、本体部２との引っかかりがなくなり、ＬＣＤパネル３を開くことが出来る。
【００１３】
また、ＬＣＤパネル３を開いた状態から、閉じる場合、図８（ｃ）のように、ロック爪２３が係止孔２２にぶつかり、これにより、図８（ｄ）のように、ＬＣＤロックスイッチ２１を再び左方向にスライドさせる。これにより、ロゴが書かれているロゴプレート１０が動き、表示が切り替わる。
【００１４】
図４は、ロゴ（２）が表示されている状態の本発明のコンピュータ装置の断面図、図５は、ロゴ（２）が表示されている状態の本発明の要部を示す平面図である。
【００１５】
図５に示すように、ロゴプレート１０には、ロゴ（１）１１、ロゴ（２）１２が設けられており、ロゴの文字の向きは、１８０度異なっている。また、ロゴプレート１０は、トグル機構部３０により駆動され、矢印Ａ方向に動くようになっている。
【００１６】
トグル機構部３０は、図４に示すように、ＬＣＤパネル３内に固定されており、ノック式ボールペンの機構のように、一度押すと押された状態でロックされ、もう一度押すとロックが解除されるトグル機構を備え、このトグル動作に連動して、ロゴプレート１０が、ＬＣＤパネル３に沿って移動する。このコンピュータ装置では、スライドスイッチ２１の押圧部材２４が、トグル機構部３０のロッド３０ａを押すことで、ロゴプレート１０が動き、また、その動いた状態が保持される。４１は、ＬＣＤパネル３に設けた窓であり、窓４１の下の表示が、窓４１を通して表示される。
【００１７】
図６は、ロゴ（１）が表示されている状態の断面図、図７は、ロゴ（１）が表示されている状態の要部の平面図である。
【００１８】
次に、図９を参照して、スライドスイッチ２１とトグル機構部３０との動作について、以下に説明する。
【００１９】
初めに、ＬＣＤパネル３を開くときの動作について説明する。
ＬＣＤパネル３が閉じられている時には、図５に示すように、ロゴ（２）が表示されている。この時、トグル機構部３０のロッド３０ａが延びた状態で、スライドスイッチの押圧部材２４のスライドスイッチ側の端部２４ａに当接している（図９（ａ））。この状態は、図１０（ａ）の断面図に示されている。次に、ＬＣＤパネル３を開くために、図９（ｂ）に示すように、ＬＣＤロックスイッチ２１を、矢印方向にスライドさせると、ＬＣＤロックスイッチ２１の押圧部材２４の端部２４ｂで、トグル機構部３０のロッド３０ａが押され、この状態が、トグル機構部３０内に設けられた状態保持手段で保持される。同時に、トグル機構部３０内に設けられた表示駆動手段がロゴプレート１０を矢印Ｂ方向に押す。押されたロゴプレート１０は、図９（ｃ）に示すように、ＬＣＤロックスイッチ２１が、付勢されている方向である元の位置に戻っても、トグル機構部３０によって押し込まれた状態でロックされる。この時、ロゴ表示部４１には、図７に示すように、ロゴ（１）が表示される。この状態は、図１０（ｂ）の断面図に示されている。このようにして、ＬＣＤパネル３を開くと、図２（ｄ）のように、ロゴは、周囲の人対して、正しい方向になるように表示される。
次に、ＬＣＤパネル３を閉じるときの動作について説明する。
ＬＣＤパネル３を閉じるとき、図８（ｃ）に示したように、ＬＣＤロック爪２３が、本体部の孔２２に当たる。本体の孔２２に当たるＬＣＤロック爪２３の当接部分２３ａは、斜めにカットされているので、そのままＬＣＤパネル３を閉じていくと、ＬＣＤロックスイッチ２１のロック爪２３は、図８（ｄ）に示したように、左方向にスライドする。このスライドによって、図９（ｄ）に示すように、押圧部材２４の端部２４ｂで、再びトグル機構部３０のロッド３０ａを押す。押されたことにより、トグル機構部３０は、トグル動作を行い、図９（ｅ）に示すように、ロッド３０ａが矢印Ｃ方向に動いて、図９（ａ）の元の位置に戻される。押し戻されると同時に、ロゴプレート１０が元の位置に戻され、ロゴプレート１０とロゴ表示部４１との関係は、再び、図１０（ａ）に示すようになり、図５のように、ロゴ（２）が再び表示される。こうして、ＬＣＤパネル３を閉じると、図３（ｄ）のように、利用者からロゴが読める向きに表示される。
（第２の具体例）
図１１は、本発明の第２の具体例を示すブロック図である。
【００２０】
第１の具体例は、機械的にロゴマークの表示を切り換えるように構成したが、第２の具体例では、上記したスライドスイッチを用いることで、ＬＣＤパネルの開閉状態を検出し、この検出した状態を電気的に保持すると共に、保持の状態により、液晶表示装置の表示を制御し、ＬＣＤパネルの開閉に応じて、ロゴマークの表示を切り換えるものである。
【００２１】
図１１において、３３は、ＬＣＤパネル３に設けられたロゴマーク表示用のＬＣＤ表示装置、３１は、検出手段であるスライドスイッチ２１で検出したＬＣＤパネル３の開閉状態をメモりするフリッププロップ回路からなるメモリ、３２は、メモリ３１内のメモリ状態に応じて、ＬＣＤ表示装置３３に表示するロゴマークの表示を制御する表示駆動装置である。
【００２２】
この第２の具体例においても、蓋の開閉状態を保持する手段、第１の表示又は第２の表示を行う表示駆動手段が設けられている。
【００２３】
【発明の効果】
本発明に係わるロゴマークの表示装置は、上述のように構成したので、以下のような効果を奏する。
（１）ＬＣＤパネルを閉じた状態でも開いた状態でも、常にロゴ表示の向きを最適に表示することができる。
（２）蓋のロックするロックスイッチと連動しているので、利用者が意識しなくても、ＬＣＤパネルの開閉に合わせて、ロゴの向きを自動的に切り換えることが出来るから、利用者に負担をかけることがない。
【図面の簡単な説明】
【図１】本発明に係わるロゴマークの表示装置を示し、（ａ）は、蓋を閉じたパソコンを上から見た図、（ｂ）は、蓋を開いたパソコンを背面から見た図である。
【図２】蓋の開状態を詳細に示した図である。
【図３】蓋の閉状態を詳細に示した図である。
【図４】ロゴ（２）が表示されている状態の本発明のコンピュータ装置の断面図である。
【図５】ロゴ（２）が表示されている状態の本発明の要部を示す平面図である。
【図６】ロゴ（１）が表示されている状態の本発明のコンピュータ装置の断面図である。
【図７】ロゴ（１）が表示されている状態の本発明の要部を示す平面図である。
【図８】スライドスイッチの動きと、本体部に設けた係止孔との関係を示した図である。
【図９】スライドスイッチの動作でトグル機構部を操作し、表示を切り換える状態を示した図である。
【図１０】ロゴマークの表示部の断面を示す図である。
【図１１】本発明の他の具体例を示す図である。
【図１２】従来の問題点を示す図である。
【符号の説明】
２  本体部
３  蓋（ＬＣＤパネル）
７  ヒンジ部
１０  ロゴプレート
１１  第１の表示
１２  第２の表示
２０  蓋の開閉の検出手段
２１  スライドスイッチ（ＬＣＤロックスイッチ）
２２  本体部の係止孔
２３  ロック爪
２４  押圧部材
３０  トグル機構部
３０ａ  操作ロッド
３１  開閉状態保持手段
３２  表示駆動手段
４１  ロゴ表示部（窓）
【図１】
0003567888.tif 000002
【図２】
0003567888.tif 000003
【図３】
0003567888.tif 000004
【図４】
0003567888.tif 000005
【図５】
0003567888.tif 000006
【図６】
0003567888.tif 000007
【図７】
0003567888.tif 000008
【図８】
0003567888.tif 000009
【図９】
0003567888.tif 000010
【図１０】
0003567888.tif 000011
【図１１】
0003567888.tif 000012
【図１２】
0003567888.tif 000013